(57)【要約】【課題】トークバックスイッチの押し方により、ロック動作とノンロック動作を選択できる。ロック動作とした場合には、一定時間以上音声出力がなされないことを音量認識回路により検出し、トークバックスイッチをオフとすることで切り忘れを防止する。【解決手段】トークバックの開始終了を制御するトークバックスイッチ１ａ〜１ｆと、トークバック音声の出力を認識する音量認識回路９を備える。トークバックスイッチは、一定時間を超えてその押圧動作が継続された場合には、その間トークバック音声を送出し、押圧動作が終了した際にトークバック音声の送出を終了する。また、一定時間内にその押し離し動作がなされた場合には、トークバック機能を開始する。音量認識回路９は、音量レベル判定回路８ａ〜８ｆによりトークバック音声の出力レベルを監視し、その出力レベルが所定時間継続して基準値よりも低下した場合にトークバック機能を終了させる。【選択図】図１
2007110477.tif 000002
【特許請求の範囲】
【請求項１】
トークバックの開始終了を制御するトークバックスイッチと、トークバック音声の出力を認識する音量認識回路とを備え、
前記音量認識回路は、トークバック音声の出力レベルを監視して、音声レベルデータを音量レベル判定回路に出力し、音量レベル判定回路によりその出力レベルが所定時間継続して基準値よりも低下した場合にトークバック機能を終了させるものであることを特徴とする音量認識トークバック装置。
【請求項２】
トークバックの開始終了を制御するトークバックスイッチと、トークバック音声の出力を認識する音量認識回路とを備え、
前記トークバックスイッチは、一定時間内にその押し離し動作がなされた場合にはトークバック機能を開始させ、一定時間を超えてその押圧動作が継続された場合にはその押圧動作が継続する間トークバック音声を送出し、押圧動作が終了した際にトークバック音声の送出を終了させるものであり、
前記音量認識回路は、トークバック音声の出力レベルを監視して、音声レベルデータを音量レベル判定回路に出力し、音量レベル判定回路によりその出力レベルが所定時間継続して基準値よりも低下した場合にトークバック機能を終了させものであることを特徴とする音量認識トークバック装置。
【請求項３】
複数のトークバック音声の送り先に対応して設けられた複数のトークバックスイッチと音量レベル判定回路をトークバック先変更回路に接続すると共に、このトークバック先変更回路に前記複数のトークバックスイッチと音量レベル判定回路の中から、所望のトークバック音声の送り先に対応するトークバックスイッチと音量レベル判定回路とを選択する選択スイッチを接続したことを特徴とする請求項１に記載の音量認識トークバック装置。
【請求項４】
前記選択スイッチが、すべての送り先に対応するトークバックスイッチと音量レベル判定回路とを同時に選択するものであることを特徴とする請求項１または請求項２に記載の音量認識トークバック装置。
【請求項５】
前記トークバックスイッチまたは他の表示器に、トークバックスイッチが動作中を示す表示部を設けたことを特徴とする請求項１、請求項２または請求項３に記載の音量認識トークバック装置。
【発明の詳細な説明】
【技術分野】
【０００１】
本発明は、各種放送用およびレコーディング用等に使用されるオーディオミキシングスタジオの音声調整室（例えば、スタジオ副調整室）から他の部屋と連絡を取るトークバック装置に関するもので、特に、音量認識と手元の制御スイッチによりトークバック機能を制御する音量認識トークバック装置に関するものである。
【背景技術】
【０００２】
放送局、レコーディングスタジオ等では、例えば各種の楽器などの数多くの音源があり、それらを複数のマイクを介し音声信号に変換し、それをスタジオ副調整室内において音声調整卓を用いてミキシングし、調整する等の作業を行っている。このスタジオ副調整室からスタジオや例えばアナウンスブース、映像ブースなどの他の部屋へ何等かの指示をする等の連絡をする必要性が生じることがあると、その場合は、トークバック装置を使用して、他の部屋にあるスピーカや個々の作業者（例えば、アナウンサーなど）のヘッドホンやイヤホンにトークバック用の音声を送出している。
【０００３】
このようなトークバック装置に関する提案が、例えば、特許文献１や特許文献２に示すように従来からなされている。
【特許文献１】特開平１０−１２６８７９号公報
【特許文献２】特開２０００−６４４８５号公報
【発明の開示】
【発明が解決しようとする課題】
【０００４】
従来、この種のトークバック装置では、トークバック用の音声を送出するためのスイッチはノンロック動作で使用することが多く、スイッチを押している間、トークバック用の音声を送る動作としていた。この場合、長時間話す場合においてもスイッチを押し続けている必要がある。一方、スイッチをロックスイッチにした場合は、スイッチを押し続ける負担は解消するものの、ロックしたトークバックスイッチを切り忘れる可能性があり、送り先に音声調整室の音声が送られっぱなしになる可能性がある。
【０００５】
また、トークバック音声の送り先が複数存在する場合に、トークバックを行う送り先を選択したり、すべての送り先に同時にトークバックを行ったりするなどの操作が必要となる。その場合、従来のトークバック装置では、個々の送り先ごとに専用のスイッチを用意し、これらのスイッチを副調整室内のオペレータが適宜選択し操作することで対応していたが、前記のような従来技術では、そのような場合にスイッチの切替が面倒であるとか、切り忘れしやすいなどの問題点があった。
【０００６】
しかしながら、前記特許文献１や特許文献２の発明は、トークバック装置に関するものであっても、トークバック時における音量レベルの制御などに関するものであって、前記のようなトークバック操作時におけるスイッチのオン・オフ動作に伴って発生する問題点を解決するものではなかった。
【０００７】
本発明は前記のような従来技術の問題点を解決するために提案されたものであって、その目的は、音量認識技術を組み合わせることにより、スイッチの操作性の向上と切り忘れ防止を可能とした音量認識トークバック装置を提供することにある。また、本発明の他の目的は、複数のトークバック音声の送り先が存在する場合に、音声の送り先の切替処理と、すべての送り先に対する音声の同時送出処理を容易に実施できる音量認識トークバック装置を提供することにある。
【課題を解決するための手段】
【０００８】
前記のような問題点を解決するため、請求項１の音量認識トークバック装置は、トークバックの開始終了を制御するトークバックスイッチと、トークバック音声の出力を認識する音量認識回路とを備え、前記音量認識回路は、トークバック音声の出力レベルを監視して、音声レベルデータを音量レベル判定装置に出力し、音量レベル判定装置によりその出力レベルが所定時間継続して基準値よりも低下した場合にトークバック機能を終了させるものであることを特徴とする。このような構成を有する請求項１の発明においては、トークバックスイッチがオン状態になっていても、トークバック音声の出力レベルが所定時間継続して基準値よりも低下した場合には、トークバック処理をオフとするので、トークバックスイッチの切り忘れが解消される。
【０００９】
請求項２の音量認識トークバック装置は、トークバックの開始終了を制御するトークバックスイッチと、トークバック音声の出力を認識する音量認識回路とを備え、前記トークバックスイッチは、一定時間内にその押し離し動作がなされた場合にはトークバック機能を開始させ、一定時間を超えてその押圧動作が継続された場合にはその押圧動作が継続する間トークバック音声を送出し、押圧動作が終了した際にトークバック音声の送出を終了させるものであり、前記音量認識回路は、トークバック音声の出力レベルを監視して、音声レベルデータを音量レベル判定回路に出力し、その出力レベルが所定時間継続して基準値よりも低下した場合にトークバック機能を終了させるものであることを特徴とする。
【００１０】
このような構成を有する請求項２の発明においては、トークバックスイッチの押し方により、ロック動作とノンロック動作を選択できると共に、ロック動作とした場合には、一定時間以上音声出力がなされないことを音量レベル判定回路により検出した場合にトークバックスイッチをオフとすることで、ロックされたトークバックスイッチの切り忘れを防止することができる。
【００１１】
請求項３の音量認識トークバック装置は、複数のトークバック音声の送り先に対応して設けられた複数のトークバックスイッチと音量レベル判定回路をトークバック先変更回路に接続すると共に、このトークバック先変更回路に前記複数のトークバックスイッチと音量レベル判定回路の中から、所望のトークバック音声の送り先に対応するトークバックスイッチと音量レベル判定回路とを選択する選択スイッチを接続したことを特徴とする。このような構成を有する請求項３の発明においては、個々のスイッチについて、オン・オフを繰り返すことなく、単に選択スイッチを操作するだけで、所望の送り先にトークバック音声を送出することが可能になり、送り先の選択が容易になる。
【００１２】
請求項４の音量認識トークバック装置は、前記選択スイッチが、すべての送り先に対応するトークバックスイッチと音量レベル判定回路とを同時に選択するものであることを特徴とする。このような構成を有する請求項４の発明においては、選択スイッチを操作することにより、個々のトークバックスイッチを操作しなくとも、全部の送り先に対してトークバック音声を送出することができるので、多数の送り先がある場合に操作が簡単になる。
【００１３】
請求項５の音量認識トークバック装置は、前記トークバックスイッチまたは他の表示器に、トークバックスイッチが動作中を示す表示部を設けたことを特徴とする。このような構成を有する請求項５の発明においては、トークバック音声の送出先が容易に確認できるので、誤操作が解消される。
【発明の効果】
【００１４】
本発明によれば、トークバックスイッチのロック動作時に、切り忘れにより音声調整室の音声がスタジオ等に送られっぱなしになることを防ぐことができる。また、選択スイッチで送り先を変えることができ操作性が向上する。特に、無音が続くことによりトークバックをオフするため、選択スイッチによって切り替えた送り先に音声が送出されない場合でも、トークバックスイッチを操作しなくとも自動的にトークバック機能を停止させることができ、便利である。
【発明を実施するための最良の形態】
【００１５】
（１）実施形態の構成
以下、本発明の実施形態を図１に従って具体的に説明する。図１において、符号２０はトークバック用の音声を収録するマイク、３０は楽器その他の各種の音源から出力されるモニター用音声の入力部、４０はスタジオなどのモニター用音声並びにトークバック用音声の送り先である。本実施形態のトークバック装置は、前記トークバック用マイク２０、モニター用音声入力部３０及び音声送り先４０の間に配置されるものであって、次のような構成を有する。
【００１６】
すなわち、符号１ａ〜１ｆはトークバックスイッチであって、各トークバックスイッチ１ａ〜１ｆはスタジオなどの音声送り先４０に位置する複数のスピーカやヘッドホンなどに対応している。なお、１つのトークバックスイッチが必ずしも１つのスピーカなどに対応する必要はなく、複数のスピーカなどに対応していても良い。各トークバックスイッチ１ａ〜１ｆには、その押圧時間の検出回路２ａ〜２ｆと、各押圧時間検出回路２ａ〜２ｆからの出力信号に基づいて、後述するスイッチ回路１０ａ〜１０ｆに対してオン・オフ制御信号を出力する制御信号出力回路３ａ〜３ｆが接続されている。
【００１７】
各制御信号出力回路３ａ〜３ｆは、トークバック先変更回路４に接続されている。このトークバック先変更回路４には、２方向の押しボタンを有する選択スイッチ５ａと全選択スイッチ５ｂとが接続され、これらの選択スイッチ５ａ，５ｂを操作することにより、各制御信号出力回路のいずれかまたはすべてを選択するものである。この場合、選択スイッチ５ａ，５ｂによって選択された各トークバックスイッチ１ａ〜１ｆは、そのトークバックスイッチ自体を操作しなくても、この選択スイッチによって選択されたことにより、オン信号を出力し、しかもロック動作として認識するように設定されている。
【００１８】
なお、前記選択スイッチ５ａとして、本実施形態では、２方向（インクリメント、デクリメントの２つの方向）のいずれかを押すごとにトークバック先が１つずつ変更されるものを使用する。また、インクリメント用の制御スイッチを長押しすることによりトークバック先の最初に移動し、デクリメント用のスイッチを長押しした場合はトークバック先の最後に移動する。
【００１９】
このトークバック先変更回路４には、前記選択スイッチ５ａ，５ｂによって選択されたトークバックスイッチを表示するための液晶ディスプレイやＬＥＤによって形成された表示器６が接続されている。また、この表示器６は、各トークバックスイッチ１ａ〜１ｆの押しボタン部分に液晶ディスプレイやＬＥＤを内蔵したり、その近傍に液晶ディスプレイやＬＥＤを設けることにより、形成することもできる。
【００２０】
この場合、トークバック先変更回路４に、トークバック音声の送り先の名称など（例えば、スピーカの位置、ヘッドホンを付けているアナウンサーやその他のスタッフの名称）と各トークバックスイッチ１ａ〜１ｆとを対応付けたデータベース７を接続しておき、選択されたトークバックスイッチ名の代わりに、データベース７から取り出した名称などを表示器に表示させることも可能である。なお、このデータベース７は、トークバック先変更回路４に接続したメモリ上には位置しても良いし、別途用意したパソコンなどに配置したデータベースからネットワークなどを利用して取り出しても良い。
【００２１】
前記トークバック先変更回路４の出力側には、前記各制御信号出力回路３ａ〜３ｆに対応して接続された音量レベル判定回路８ａ〜８ｆが設けられている。各音量レベル判定回路８ａ〜８ｆは、前記トークバック用音声の収録用マイク２０から音声送り先４０への出力回路上に設けられた音量認識回路９に接続されている。この音量認識回路９は、収録用マイク２０から出力される音声信号の音量を監視し、その音量を各音量レベル判定回路に出力するものである。各音量レベル判定回路は、前記音量認識回路９から受け取った音量のレベルを基準値と比較して、受け取った音量のレベルが一定時間以上基準値よりも低い状態が検出した場合に、後述するスイッチ回路１０ａ〜１０ｆに対してオフ信号を出力するものである。
【００２２】
各スイッチ回路１０ａ〜１０ｆは、各音量レベル判定回路の出力側に接続され、各音量レベル判定回路８ａ〜８ｆからのオフ信号及び前記制御信号出力回路３ａ〜３ｆからのオン・オフ信号に基づいて、音声送り先４０に出力する収録用マイク２０からのトークバック音声とモニター用音声の入力部３０からの音声とを切り替えるものである。すなわち、各スイッチ回路１０ａ〜１０ｆにオン信号が入力されると、入力部３０からのモニター用音声を遮断してマイク２０側のトークバック音声を音声送り先４０側に出力し、オフ信号が入力されると、マイク２０側のトークバック音声を遮断してモニター用音声を入力部３０から音声送り先に出力する。
【００２３】
（２）実施形態の作用
このような構成を有する本実施形態の音量認識トークバック装置の作用は次の通りである。
まず、スタジオなどの音声の送り先４０において、ミキシング装置などを使用してレコーディングや放送などの音声調整を行っている場合は、入力部３０からのモニター用音声はスイッチ回路を介して音声送り先４０ナットの各スピーカやヘッドホンに出力される。この状態で、所定のスピーカやヘッドホンに対してトークバックを行うには、そのスピーカなどに対応するトークバックスイッチを選択し、次のいずれかの操作を行う。
【００２４】
(a) アンロック操作
数秒から数十秒の比較的短い時間トークバックを行うには、オペレータは、選択したトークバックスイッチ（例えば、１ａ）をトークバック期間中継続して押圧する。すなわち、トークバックスイッチ１ａを継続して押圧すると制御信号出力回路３ａからトークバックのオン信号が出力されると共に、押圧時間検出回路２ａがその押圧時間を検出して、その検出時間が予め定められた一定時間（例えば１秒間）よりも長い場合には、トークバックスイッチ１ａを押圧している間継続してオン状態となる。
【００２５】
この場合、選択されたトークバックスイッチ１ａまたはその近傍に設けられた液晶ディスプレイやＬＥＤなどの表示器が点灯して、そのトークバックスイッチ１ａが作動中であることを表示する。また、トークバック先変更回路４に接続されたデータベースから、作動中のトークバックスイッチに対応する出力先のスピーカやヘッドホンの位置や使用者名などが検索され、それが表示器６に出力される。
【００２６】
オペレータが選択したトークバックスイッチ１ａから手を離すと、その操作を押圧時間検出回路２ａが検出し、制御信号出力回路３ａがオフ信号を出力する。すると、そのオフ信号がスイッチ回路１０ａに入出力され、スイッチ回路１０ａがトークバック用マイク２０モニター用音声入力部３０側に切り替わって、トークバックを停止すると共に入力部３０からのモニター用音声を音声送り先４０に出力する。
【００２７】
(b) ロック操作
オペレータが選択したトークバックスイッチ（例えば、１ｂ）を一定時間（例えば１秒間）以内に押し離しすると、最初の押圧動作で制御信号出力回路３ｂからトークバックのオン信号が出力されると共に、押圧時間検出回路２ｂが押圧時間が１秒以内ということを検出して、たとえオペレータがスイッチから指を離しても制御信号出力回路３ｂからオフ信号を出力せず、トークバックスイッチ１ｂのオン状態を継続し、トークバックをロック状態とする。このロック状態は、通常は、再び同じトークバックスイッチ１ｂを１秒以内で押し離したことを押圧時間検出回路２ｂが検出し、制御信号出力回路３ｂがオフ信号を出力しないと解除されない。
【００２８】
ところで、このロック状態においては、音量認識回路９がトークバック音声用マイク２０からの出力を監視しており、その音量データをロックされているトークバックスイッチ１ｂの音量レベル判定回路８ｂに出力している。この音量レベル判定回路８ｂは、マイク２０からの音量レベルが一定時間（例えば数秒間）一定レベル（例えば４０ｄｂ）以下になったことを検出すると、トークバックのオフ信号をスイッチ回路１０ｂに出力する。すると、トークバックスイッチ１ｂによるオフ信号の出力操作を行わずとも、自動的にトークバックスイッチ１ｂについては、そのスイッチ回路１０ｂがモニター用音声の入力部３０側に切り替わる。その結果、トークバックスイッチ１ｂから手を離していても、その切り忘れが防止される。
【００２９】
(c) 選択スイッチによる操作
前記(a) 及び(b) は、オペレータが各トークバックスイッチ１ａ〜１ｆを直接操作した場合の動作であるが、本実施形態では、選択スイッチ５ａ，５ｂによっても前記(b) のロック動作を行うことができる。すなわち、選択スイッチ５ａに設けられた、２方向（インクリメント、デクリメントの２つの方向）のいずれかを押すごとにトークバック先が１つずつ変更され、また、インクリメント用の制御スイッチを長押しすることによりトークバック先の最初に移動し、デクリメント用のスイッチ長押しした場合はトークバック先の最後に移動して、選択されたトークバックスイッチがオンとなり、その状態でロックされる。さらに、全選択スイッチ５ｂを押圧すると、すべてのトークバックスイッチがオンとなりその状態でロックされる。
【００３０】
このようにして、選択スイッチ５ａまたは５ｂによりロック状態となったトークバックスイッチは、各トークバックスイッチ１ａ〜１ｆを短時間で押し離しすることによりオフとしても良いが、本実施形態では、トークバック音声用マイク２０からの音声出力レベルを音量認識回路９及び各音量レベル判定回路によって監視して、一定時間以上所定レベルの音声出力がなかった場合に、選択されたトークバックスイッチに対応するスイッチ回路をオフとする。その結果、各トークバックスイッチ１ａ〜１ｆとは離れた箇所に選択スイッチ５ａ，５ｂを設けておくことにより、複数箇所からトークバックの制御が可能となる。
【００３１】
（３）他の実施形態
本発明は前記の実施形態に限定されるものではなく、例えば、トークバックスイッチ数は図示の６個に限らず、音声の送り先に配置されたスピーカやヘッドホンなどの数に合わせて適宜増減可能である。また、トークバックスイッチとして、ロックとアンロック動作を行うもの以外に、ロック機能のみを有するものを使用することもできる。すなわち、図１の押圧時間検出回路や制御信号出力回路を設けることなく、トークバックスイッチを操作した場合にトークバックがオンになって、音量認識回路及び音量レベル判定回路によってトークバック音声が一定時間以上出力されない場合に、トークバックをオフとするものも、本発明に包含する。
【図面の簡単な説明】
【００３２】
【図１】本発明の実施形態の構成を示すブロック図。
【符号の説明】
【００３３】
１ａ〜１ｆ…トークバックスイッチ
２ａ〜２ｆ…押圧時間検出回路
３ａ〜３ｆ…制御信号出力回路
４…トークバック先変更回路
５ａ，５ｂ…選択スイッチ
６…表示器
７…データベース
８ａ〜８ｆ…音量レベル判定回路
９…音量認識回路
１０ａ〜１０ｆ…スイッチ回路
２０…トークバック用音声の収録用マイク
３０…モニター用音声の入力部
４０…音声送り先
【図１】
2007110477.tif 000003